(57)【要約】【課題】被介護者を抱きかかえることなく移動可能な敷布団の提供。【解決手段】敷布団１は、押しつぶされた略筒形状とされている。この敷布団１の左右の折返し部には、その内側に沿って、棒状の回転軸２，２が設置されている。回転軸２，２の両端部は、それぞれ敷布団１の幅方向に配置された棒状の駆動軸３，３に接続されている。各駆動軸３，３は、それぞれ敷布団１の長手方向両端部に設置された駆動部４，４に連接されている。そして、この駆動部４，４は、敷布団の幅方向中央に設置されている。駆動部４の操作により駆動軸３が回転し、それに伴って回転軸２が回転し、敷布団１が周方向に回転する。なお、このとき、敷布団１を補助布団１０の上に敷くことにより、敷布団１は、同一空間で回転可能とされている。【選択図】　　　図２
2004097294.tif 000002
【特許請求の範囲】
【請求項１】
主として、寝返り困難な被介護者の下に敷いて寝返り動作を補助する敷布団であって、
筒状に形成されたことを特徴とする敷布団。
【請求項２】
前記敷布団の内周面が、摩擦抵抗の少ない内周面に形成されている
ことを特徴とする請求項１に記載の敷布団。
【請求項３】
前記敷布団には、敷布団を周方向に回転させる手段が設けられている
ことを特徴とする請求項１又は請求項２に記載の敷布団。
【請求項４】
前記敷布団の左右の折返し部には、その内側に軸が設置されており、
その軸を回転することで、敷布団を周方向に回転可能とされた
ことを特徴とする請求項３に記載の敷布団。
【請求項５】
摩擦抵抗が少ない内周面を形成されている筒状の補助布団の上に敷かれる
ことを特徴とする請求項１から請求項４までのいずれかに記載の敷布団。
【発明の詳細な説明】
【０００１】
【発明の属する技術分野】
本発明は、寝たきり老人など寝返りを自力ですることが困難となって、寝返りをするために介護を必要とする人に使用される敷布団に関するものである。
【０００２】
【従来の技術】
近年、高齢化の進展と共に自力で寝返りが出来ない若しくは困難となった人（以下、被介護者という）の世話が社会問題化している。
図７は、従来の敷布団での介護状態を被介護者の頭の方向から見た側面図であり、（ａ）は、被介護者が敷布団の中央で仰向けに寝ている状態を示す図であり、（ｂ）は、被介護者を横向けにしている状態を示す図であり、（ｃ）は、横向けにした被介護者を持ち上げて中央に移動させる状態を示す図である。
【０００３】
自力で寝返りが出来ない人が長時間同じ体位で寝ていると、床ずれをおこしてしまうので、家族などの介護者によって、例えば２時間ごとに体位を変えてあげる必要がある。そのため、図７（ａ）に示すように、敷布団３０の中央で寝ている被介護者２０を約９０°横向きにして、図７（ｂ）に示すように、体の右側を下にした横臥の状態にする。このとき、被介護者２０は、敷布団３０の端に位置しており、寝心地が悪いばかりか敷布団３０から落ちる場合があるので、図７（ｃ）に示すように、介護者の手によって被介護者２０を持ち上げて敷布団３０の中央に移動させていた。
【０００４】
【発明が解決しようとする課題】
しかしながら、図７（ｂ）の状態から図７（ｃ）の状態に被介護者を移動させるには、介護者の手によって被介護者を抱きかかえて移動させる必要がある。しかも、約２時間間隔での移動を繰り返さなくてはならないため、この動作は重労働であり、介護者の腰痛等を引き起こす原因となっている。
【０００５】
本発明は上記事情に鑑みてなされたものであり、その主たる目的は、介護者が被介護者を抱きかかえて持ち上げることなく、敷布団の端から中央に移動可能な敷布団を提供することにある。
【０００６】
【課題を解決するための手段】
上記目的を達成するために、本発明は、主として、寝返り困難な被介護者の下に敷いて寝返り動作を補助する敷布団であって、筒状に形成されたことを特徴とする敷布団である。
【０００７】
また、好ましくは上記構成に加えて、前記敷布団の内周面が、摩擦抵抗の少ない内周面に形成されていることを特徴とする敷布団である。
【０００８】
また、好ましくは上記構成に加えて、前記敷布団には、敷布団を周方向に回転させる手段が設けられていることを特徴とする敷布団である。
【０００９】
また、好ましくは上記構成に加えて、前記敷布団の左右の折返し部には、その内側に軸が設置されており、その軸を回転することで、敷布団を周方向に回転可能とされたことを特徴とする敷布団である。
【００１０】
また、好ましくは上記構成に加えて、摩擦抵抗が少ない内周面を形成されている筒状の補助布団の上に敷かれることを特徴とする敷布団である。
【００１１】
【発明の実施の形態】
以下、本発明の敷布団について、実施例に基づき更に詳細に説明する。
図１は、本発明の敷布団の使用状態を被介護者の頭の方向から見た側面図であり、（ａ）は、被介護者が敷布団の中央に寝ている状態を示す図であり、（ｂ）は、被介護者を横向けにしている状態を示す図であり、（ｃ）は、敷布団を回転させて横向けにした状態の被介護者を中央に移動させた状態を示す図である。図２は、図１の敷布団の使用状態を示す平面図である。
【００１２】
本実施例の敷布団１は、押しつぶされた筒形状とされている。図１において、敷布団１の左右の折返し部には、その内側に沿って、棒状の回転軸２，２が設置されている。一方、敷布団１の長手方向両端部には、敷布団１の幅方向に沿って、駆動軸３，３が配置されている。そして、この駆動軸３，３に、回転軸２，２の長手方向両端部が接続されている。駆動軸３にはウォーム歯車が設けられ、回転軸２にはウォームが設けられており、そのウォーム歯車とウォームとがかみ合わされている。これにより、駆動軸３の回転が回転軸２に伝達される。
【００１３】
また、各駆動軸３，３は、モータ等からなる駆動部４，４に接続されている。なお、この駆動部４，４は、敷布団の幅方向中央に設置されている。
駆動部４の操作により駆動軸３が回転し、それに伴って回転軸２が回転する。このとき、両方の回転軸２，２を同時同方向に回転するようにする。これにより、敷布団１は、周方向に回転する。また、駆動軸３と回転軸２とを着脱可能に構成することで、駆動に用いないときは駆動部４及び駆動軸３を取り外しておくことが可能である。なお、敷布団１の幅方向中央に配置された駆動部４，４の内、どちらか一方のみを駆動させ、他方を空転タイプにしても構わない。
【００１４】
敷布団１の内周面１ａは、フッ素樹脂等で滑性加工が施されたシートが被覆されている。一方、駆動軸３には、敷布団１の内周面１ａとの間に摩擦抵抗を増大させる加工が施されている。
【００１５】
敷布団１は、押しつぶされた筒状の補助布団１０の上に敷かれる。この補助布団１０は、敷布団１の幅より広い幅とされる。また、この補助布団１０の内周面１０ａは、滑性加工が施されている。
【００１６】
次に、この敷布団１の使用方法について説明する。
まず、補助布団１０を敷き、補助布団１０の幅方向中央に敷布団１を敷く。そして、図１（ａ）に示すように、被介護者２０を敷布団１の中央に仰向けで寝かせる。そして、例えば２時間ごとに被介護者２０を左右いずれかに寝返りさせる。図１（ｂ）は、右に寝返りさせた横臥の状態を示しており、このとき被介護者２０は、敷布団１の端に位置している。
【００１７】
この状態では、寝心地が悪く、敷布団１から落ちる可能性があるので、被介護者２０を敷布団１の中央に移動させる必要がある。そのため、駆動部４を操作し、駆動軸３を回転させることで、回転軸２が回転し、回転軸２の回転に伴い敷布団１は、周方向に回転を始め、図１（ｂ）において、反時計まわりに敷布団１が回転する。被介護者２０が、図１（ｃ）に示すように、敷布団１の中央に配置されたら、駆動部４を操作し、駆動軸３及び回転軸２の回転を停止する。
【００１８】
そして、２時間経過した後には、再び被介護者２０を仰向けに寝かせ、敷布団１を時計まわりに回転させれば、被介護者２０を敷布団１の中央に配置することが可能である。
【００１９】
同様に、左に寝返りさせた場合には、駆動部４を操作し、駆動軸３を回転させて、回転軸２を回転させ、時計まわりに敷布団１を回転させれば、被介護者２０を、左に寝返りさせた横臥の状態で、敷布団１の中央に寝かせることが可能である。
このように、順次、敷布団１を時計まわり、反時計まわりに回転させることで、被介護者２０を常に、敷布団１の中央に配置することが可能である。
【００２０】
敷布団１が回転すると、それに伴って、敷布団１の下に敷かれた補助布団１０も回転する。この際、この補助布団１０の上面１０ｂがずれるので、敷布団１は、スムーズに回転することが可能となる。また、補助布団１０の上面１０ｂがずれることにより、補助布団１０の上に敷かれた敷布団１は、移動することなく定位置で周方向に回転することが可能である。つまり、敷布団１を同一空間で回転可能としている。
【００２１】
図３は、本発明の敷布団をベッドの上において使用する使用状態を被介護者の頭の方向から見た側面図であり、（ａ）は、被介護者が敷布団の中央で寝ている状態を示す図であり、（ｂ）は、被介護者を横向けにしている状態を示す図であり、（ｃ）は、敷布団を回転させて横向けにした被介護者を中央に移動した状態を示す図である。図４は、敷布団をベッドの上において使用した状態の平面図である。
【００２２】
ベッド１５で使用する場合、補助布団１０の左右両端は、ベッド１５のサイドのフレーム１６，１６に当たるので、若干上に曲げて敷く。そして、その上に本発明の敷布団１を敷けばよい。使用方法は、先程と同様である。
ベッド１５で使用する場合には、被介護者２０の頭側の駆動部４は、ヘッドボード１７等を通じてベッド１５のフレームに支持され、足側の駆動部４は、フットボード１８等を通じてベッド１５のフレームに支持される。
【００２３】
なお、ベッド１５のギャッジ時などに対応するように回転軸２，２に可とう性を持たせてもよい。また、回転軸２，２の中央部の外径寸法を両端部の外径寸法より大きくすることで、回転時の敷布団１との位置関係のずれ（不整合）を防止するようにしてもよい。
【００２４】
本発明の敷布団１を使用する場合には、図５に示すように、敷布団１の上下（上面１ｂと下面１ｃ）の内面同士、補助布団１０の上下（上面１０ｂと下面１０ｃ）の内面同士が接触することが予想される。しかし、敷布団１の内周面１ａは、フッ素樹脂等で滑性加工が施されたシートが被覆されているので、上下面１ｂ，１ｃが接触しても敷布団１の回転に支障をきたすことがなく、スムーズに回転する。また、補助布団１０の内周面１０ａにも滑性加工が施されているので、回転に支障を来たすことがなく、スムーズに回転する。
【００２５】
また、床面が滑りやすい場合や、床面が広い場合には、補助布団１０を使用しなくてもよい。さらに、駆動部４を使用せずに、敷布団１に取り付けられた取っ手（図示せず）を人手により引っ張ることで敷布団１を回転するようにしてもよい。このとき、回転軸２も外した状態で敷布団１を回転させるようにしてもよい。
【００２６】
さらに、上記実施例では、被介護者２０を約９０°横向きにした横臥の状態に関して述べているが、補助布団１０の幅を必要量広くして、被介護者２０を約１８０°回転させて伏臥の状態にし、腹臥位療法時にも有効に利用することも可能である。
【００２７】
通常、被介護者を伏臥の状態にすることは、敷布団から被介護者が落ちないように気を付けながらする必要があり、介護者が一人の場合、かなり困難であり、複数人いたとしても、容易にできることではない。しかも、かなり体力がいる作業であるため、介護者が多大な労力を費やすこととなっていた。
【００２８】
しかし、本発明の敷布団１によれば、被介護者２０を横臥や伏臥の状態にするために回転させても、敷布団１を回転させることで、常に敷布団１の中央に被介護者２０を配置することが可能であるので、介護者が一人であっても、被介護者２０を伏臥の状態にさせることが可能である。
【００２９】
本実施例では、略筒状の布団１，１０を上下に２段配置し、略８の字状に敷いたが、補助布団を２段にして、略筒状の布団を上下に３段配置する構造とすることもできる。
【００３０】
ところで、食事やリハビリ等のために被介護者の背をおこすことが１日に何回もあると、そのたびに被介護者の体は足元の方向に移動してしまっていた。そのため、介護者は、被介護者を頭の方向に抱かかえて移動させる必要があり、寝返りのときと同様、重労働となっていた。
【００３１】
そこで、略筒状の敷布団１の開口方向（軸方向）に被介護者を寝かせ、被介護者２０を左右に移動させる方法について前述したが、図６に示すように、幅方向（敷布団１の回転方向）に被介護者２０を寝かせるような構成としてもよい。この場合、幅方向に沿って、被介護者２０が寝かされるので、その方向に細長く敷布団を形成するのが好ましい。被介護者２０の身長方向に敷布団１を回転させることで、被介護者２０を常に敷布団１の身長方向中央に寝かせることが可能となる。
【００３２】
また、被介護者２０の背をおこすために、敷布団１及び補助布団１０を傾けた場合に敷布団１の上面１ｂと下面１ｃが滑らないように敷布団１の内周面１ａに傾斜パイルを設けてもよい。図６において、敷布団１の上面１ｂ側の内周面１ａに右斜め下に向いた傾斜パイル４０を設け、下面１ｃ側の内周面１ａに、左斜め上に向いた傾斜パイル４１を設ける。
【００３３】
これにより、敷布団１を被介護者２０の頭の方向に回転させる場合には、スムーズに回転し、被介護者２０の重みにより敷布団１が被介護者２０の足もとの方向にずれ落ちようとしても傾斜パイル４０，４１が引っ掛りずれ落ち難い。
同様に、補助布団１０の内周面１０ａにも、傾斜パイルを設けてもよい。
【００３４】
なお、本発明の敷布団は、上記実施例の構成に限らず、適宜変更可能である。例えば、敷布団が床ずれ防止等に用いるエアマットであってもよいし、敷布団を回転させる方法は、上記以外の方法でも構わない。また、敷布団と補助布団の内周面は、フッ素樹脂等の本来滑性に優れた材料を滑性加工をしないで用いてもよい。さらに、上記実施例では、被介護者２０を横臥や伏臥等の状態にしてから、敷布団１を回転させるようにしたが、先に、敷布団１を回転させておいて、被介護者２０を横臥や伏臥等の状態にしてもよいし、仰臥の侭でベッドからストレッチャー等への移動時、ベッドとストレッチャーの双方にそれぞれ本敷布団を用いてもよいのは言うまでもない。
【００３５】
【発明の効果】
以上詳述したように、本発明の敷布団によれば、被介護者を抱きかかえることなく移動させることが可能になる。
【図面の簡単な説明】
【図１】本発明の敷布団の使用状態を被介護者の頭の方向から見た側面図であり、（ａ）は、被介護者が敷布団の中央に寝ている状態を示す図であり、（ｂ）は、被介護者を横向けにしている状態を示す図であり、（ｃ）は、敷布団を回転させて横向けにした状態の被介護者を中央に移動させた状態を示す図である。
【図２】図１の敷布団の使用状態を示す平面図である。
【図３】本発明の敷布団をベッドの上において使用する使用状態を被介護者の頭の方向から見た側面図であり、（ａ）は、被介護者が敷布団の中央で寝ている状態を示す図であり、（ｂ）は、被介護者を横向けにしている状態を示す図であり、（ｃ）は、敷布団を回転させて横向けにした被介護者を中央に移動した状態を示す図である。
【図４】本発明の敷布団をベッドの上において使用した状態の平面図である。
【図５】本発明の敷布団をベッドの上において使用した状態を被介護者の頭の方向から見た側面図である。
【図６】本発明の敷布団の別の実施例を示す正面図である。
【図７】従来の敷布団での介護状態を被介護者の頭の方向から見た側面図であり、（ａ）は、被介護者が敷布団の中央で仰向けに寝ている状態を示す図であり、（ｂ）は、被介護者を横向けにしている状態を示す図であり、（ｃ）は、横向けにした被介護者を持ち上げて中央に移動させる状態を示す図である。
【符号の説明】
１　敷布団
１ａ　内周面
１ｂ　上面
１ｃ　下面
２　回転軸
３　駆動軸
４　駆動部
１０　補助布団
１０ａ　内周面
１０ｂ　上面
１０ｃ　下面
１５　ベッド
１６　サイドフレーム
１７　ヘッドボード
１８　フットボード
２０　被介護者
３０　従来の敷布団
【図１】
2004097294.tif 000003
【図２】
2004097294.tif 000004
【図３】
2004097294.tif 000005
【図４】
2004097294.tif 000006
【図５】
2004097294.tif 000007
【図６】
2004097294.tif 000008
【図７】
2004097294.tif 000009